(57)【特許請求の範囲】
【請求項１】
家具枠体（２）を備えた家具（１）であって、
前記家具（１）は、家具枠体（２）および特に引出し（３ａ）である可動家具部（３）に取り付け可能であり、
電気負荷具（４）は、前記可動家具部（３）に取り付けられており、
前記電気負荷具（４）のための少なくとも１つの給電装置（６）が、好適には着脱式に運搬要素（５）に取り付けられていることを特徴とする家具。
【請求項２】
給電装置（６）は、締付あぶみによって、運搬要素（５）に着脱式に取り付けられていることを特徴とする請求項１記載の家具。
【請求項３】
運搬要素（５）には、外部電源（９）に接続されており、給電装置（６）に接続可能である電気線（８）が取り付けられていることを特徴とする請求項１または２記載の家具。
【請求項４】
給電装置（６）が運搬要素（５）に取り付けられると、電気線との電気接触が自動的に実行されることを特徴とする請求項３記載の家具。
【請求項５】
給電装置（６）は、穿孔ピン（１０）によって電気線（８）と接触することを特徴とする請求項４記載の家具。
【請求項６】
電気負荷具（４）は、照明装置（４ａ）であることを特徴とする請求項１から５のいずれかに記載の家具。
【請求項７】
照明装置（４ａ）は、好適には全体的に引出し（３ａ）内部を照らすことを特徴とする請求項６記載の家具。
【請求項８】
照明装置（４ａ）は、引出しの後壁（２１）に取り付けられていることを特徴とする請求項６または７記載の家具。
【請求項９】
充電式の電流保存手段（１１）が可動家具部（３）に取り付けられており、
給電装置（６）は、可動家具部（３）の閉位置の接触位置で電流保存手段を充電することを特徴とする請求項１から８のいずれかに記載の家具。
【請求項１０】
給電装置（６）は、閉位置でのみ電流保存手段（１１）を充電し、給電装置と電流保存手段（１１）との間の電気接続は、可動家具部（３）が開けられると解除されることを特徴とする請求項９記載の家具。
【請求項１１】
電流保存手段（１１）は、電気負荷具に接続されており、
可動家具部（３）の開位置で前記電気負荷具に電流を供給することを特徴とする請求項９または１０記載の家具。
【請求項１２】
可動家具部（３）は、バネ式および/または運搬要素（５）に取り付けられた電気駆動式放出装置（１３）によって、可動であることを特徴とする請求項１から１１のいずれかに記載の家具。
【請求項１３】
放出装置（１３）は、締付あぶみ（７）によって、運搬要素（５）に着脱式に取り付けられていることを特徴とする請求項１２記載の家具。
【請求項１４】
放出装置（１３）が運搬要素（５）に取り付けられると、電気線（８）との電気接触が自動的に実行されることを特徴とする請求項１３記載の家具。
【請求項１５】
放出装置（１３）は、穿孔ピン（１０）によって、電気線（８）と接触することを特徴とする請求項１４記載の家具。
【請求項１６】
運搬要素（５）は、少なくとも一つの放出装置（１３）と、給電装置（６）とを運搬し、
該放出装置（１３）と、該給電装置（６）は、同じ可動家具部に関連していることを特徴とする請求項１から１５のいずれかに記載の家具。
【発明の詳細な説明】
【技術分野】
【０００１】
本発明は、家具枠体を有する家具、この家具枠体に取り付けられる運搬要素、および特に引き出しである家具可動部に関し、電気負荷具は、可動家具部に取り付けられている。
【背景技術】
【０００２】
家具または家具部用の運搬要素は、既に知られており、電気負荷具への給電は、家具な
どの製造および使用中に深刻な問題として発生する。この目的で特許文献１においては、
引出部に配置され、家具枠体に配置された切換装置によって充電できる充電式電流保存手
段を有する家具引出しを開示している。
【先行技術文献】
【特許文献】
【０００３】
【特許文献１】欧州特許出願公開第１２６０１５８Ａ２号明細書
【発明の概要】
【発明が解決しようとする課題】
【０００４】
この点に関して生じる問題は、給電装置の家具枠体への取り付けは、引出し構造に対応
するように家具枠体に固定されなければならないことである。さらに、給電装置は、家具
枠体に部分的に複雑に配線されたケーブルを有する。
【０００５】
したがって、本発明の目的は、簡素で改良された引出しの電気負荷具のための給電装置
の提供である。
【課題を解決するための手段】
【０００６】
本発明によれば、この目的は、電気負荷具のための少なくとも一つの給電装置を好適に
は、着脱式に運搬要素に配置することで達成される。家具枠体に取り付けるそのような運
搬要素は確かに知られているが、そのような運搬要素は、引出部のための放出装置を保持
するためだけに提供されている（ＷＯ２００６/０１７８６５参照）。この給電装置は、
例えば締付あぶみなどによってそのような運搬要素に着脱式またはスナップ式に取り付け
ることができる。
【０００７】
一好適実施態様では、運搬要素には、外部電源に接続され、給電装置に接続できる電気
線が配線できる。この電気線は、そのような運搬要素内で延び、給電装置もまたそのよう
な線と接触できる。このような構成によって、給電装置が運搬要素に取り付けられると、
電気接触が電気線に自動的に提供される。別実施例によれば、給電装置は、穿孔ピンで電
気線に接触できる。あるいは、電気線を家具枠体に導くことも可能である。この場合、給
電装置を運搬要素に取り付けるとき、給電装置と、例えばプラグによって家具枠体に配置
された電気線との間に自動的な接触が提供される。
【０００８】
好適には、電気負荷具は、照明装置であり、照明装置は、好適には全体的に引出部内部
を照らす。例えば照明装置は、引出部の後壁に取り付けることができる。表示のための電
気負荷具またはその他のあらゆる引出部領域の電気負荷具も本発明により実現できる。
【０００９】
安定した電流供給を保証するため、好適には可動家具部に充電式電流保存手段が設置さ
れ、給電装置は、可動家具部分の閉位置にて接触位置となることで電流保存手段を充電す
る。この点で、給電装置が閉位置だけで電流保存手段を充電し、可動家具部が開けられた
とき給電装置と電流保存手段との間の電気接続は分離されるのが有利である。好適には、
電流保存手段は、電気負荷具に接続されており、可動家具部の開位置で給電する。
【００１０】
既に説明したように、好適な実施形態では、運搬要素に取り付けられた、ばね加圧式およ
び/または電動放出装置によって可動な可動家具部が提供される。この場合、放出装置が
運搬要素に取り付けられていれば、電気線の電気接触が自動的に実現できる。よって放出
装置が運搬要素に取り付けられていれば、電気接触は、電気線で自動的に実現され、放出
装置は、穿孔ピンで電気線と接触する。
【００１１】
一つの好適実施態様によれば、運搬装置は、少なくとも一つの放出装置と１体の給電装置を運搬し、放出装置と給電装
置は同じ可動家具部に関連する。あるいは、運搬要素は、異なる可動家具部に対応する少
なくとも一つの給電装置と放出装置を運搬する。
【００１２】
好適には、運搬要素は、家具枠体の内側の後方領域において、垂直配向性で取り付けら
れている。しかしながらその他の配向性を除外するものではなく、家具領域に運搬要素を
取り付ける多くの方法が存在する。さらに家具に対する運搬要素の調整も提供することも
できる。
【００１３】
本発明の基本概念は、引出部に取り付けられた電気負荷具の給電のために既に知られた
運搬要素を利用することである。この点で特に給電装置、放出装置、等々のための運搬要
素を利用するモジュール式とするオプションが有利である。運搬要素に内蔵された電気線
に通電接触する。それらは、それぞれ所望の引出部に対応し、工具を利用せずに放出装置
が提供される。
【００１４】
本発明のさらなる詳細および利点は、特定の説明によって、および図面で説明する実施
例と関連して説明することができる。
【図面の簡単な説明】
【００１５】
【図１】図１は、従来技術の運搬要素を示している。
【図２】図２は、給電装置を示している。
【図３】図３は、給電装置を示している。
【図４】図４は、給電装置を示している。
【図５】図５は、放出装置と給電装置とを備えた運搬要素を示している。
【図６】図６は、放出装置と給電装置とを備えた運搬要素を示している。
【図７】図７は、電流保存手段を示している。
【図８】図８は、電流保存手段を示している。
【図９】図９は、電流保存手段を示している。
【図１０】図１０は、電流保存手段を示している。
【図１１】図１１は、照明装置の斜視図と断面図である。
【図１２】図１２は、照明装置の斜視図と断面図である。
【図１３】図１３は、照明装置の斜視図と断面図である。
【図１４】図１４は、電流保存手段と電気負荷具とを備えた可動家具部の斜視図と断面図である。
【図１５】図１５は、電流保存手段と電気負荷具とを備えた可動家具部の斜視図と断面図である。
【図１６】図１６は、電流保存手段と電気負荷具とを備えた可動家具部の斜視図と断面図である。
【図１７】図１７は、家具枠体内に取り付けられた可動家具部の斜視図である。
【図１８】図１８は、家具枠体内に取り付けられた可動家具部の斜視図である。
【図１９】図１９は、家具枠体内に取り付けられた可動家具部の斜視図である。
【図２０】図２０は、電流保存手段を備えた引出し運搬要素に取り付けられた給電装置との間の接触領域の断面図である。
【図２１】図２１は、電流保存手段および電気負荷具を備え、放出装置と給電装置とを備えた運搬要素を示している。
【図２２】図２２は、電流保存手段および電気負荷具を備え、放出装置と給電装置とを備えた運搬要素を示している。
【図２３】図２３は、本発明による家具の後方側の概略図である。
【発明を実施するための形態】
【００１６】
【実施例】
【００１７】
図１は、従来技術による家具の後壁の内側を図示しており、放出装置１３と変圧器１４
は、運搬要素５に取り付けられている。運搬要素５は、家具枠体２に対して垂直方向に固
定されている。
【００１８】
図２から図４は、締付あぶみ７を有する給電装置６を図示しており、この締付あぶみに
よって給電装置６は、運搬要素５（図示せず）に取り付けられており、穿孔ピン１０を取
り付けると、電気線へ通電接続が提供される。この点で図３は、後述する電流保存手段１
１が関与する接触位置１２を図示している。通電接続は、このようにして電流保存手段１
１を充電する。
【００１９】
図５は、給電装置６と概略的に図示された放出装置１３の運搬要素５への取り付けまた
は、締付方法を示している。この場合、運搬要素は、家具枠体２への取り付けを可能にす
る床ホルダー１５と天板２２を有する。
【００２０】
図６は、図５に示す運搬要素５の後方側を図示している。運搬要素５は、一体的である
必要はない。例えば給電装置６を取り付けるための２つの独立した形態のレールを含むこ
とができる。
【００２１】
図７から図１０は、電流保存手段１１の様々な図であり、その接触部１２（接触帯体１
２ａの形態）は、給電装置６の接触部１２に対応している。さらに電流保存手段１１は、
特に少なくとも家具部３の取り付け領域が突出形状部材であるとき、可動家具部への取り
付けを可能にする締付要素１６を有する。
【００２２】
図１１から図１３は、照明装置４ａの形態である電気負荷具４を図示している。照明装
置４ａは、家具部３に取り付けることも、吊下げることもでき（保持延出部１７参照）、
この場合、通電接続が例えば電流保存手段１１を備えたケーブルなどによって提供できる
。図１３の切出断面図Ａは、照明装置４ａの断面を図示しており、ＬＥＤ２０が取り付け
られたＬＥＤバー１９が保持延出部１７（突出形状部材の形態）に取り付けられ、好適に
は、透明又は半透明のカバーキャップ１８で覆われている。
【００２３】
図１４は、電流保存手段１１と電気負荷具４が後壁２１に取り付けられた引出部３ａを
示している。
【００２４】
図１５の切出図部Ａは、引出部３ａの後壁２１を詳しく示しており、ここにＬＥＤバー
１９を備えた保持延出部１７とカバーキャップ１８、さらに電流保存手段１１がその場に
締付要素で吊下げるか、またはクリップ留めされている。
【００２５】
図１６は、家具の家具枠体２に移動式に取り付けられた引出部３ａを図示している。
【００２６】
図１７は、家具枠体２内に取り付けられた照明装置４ａを備えた引出部３ａの別図であ
り、運搬要素５と給電装置６は、放出装置１３と共に家具の家具枠体２に配置されている
。図１８は、図１７の詳細図である。
【００２７】
図１９では、引出部３ａは閉められている。
【００２８】
図２０は、運搬要素５を備えた閉位置にある可動家具部３の後方側の断面を示している
。図２０は、引出部側で電流保存手段１１が可動家具部３の後壁２１から吊下げられてい
るかまたは取り付けられた状態と、保持延出部１７が後壁２１でＬＥＤ２０を備えたＬＥ
Ｄバー１９とカバーキャップ１８を保持する状態を示している。さらに、運搬要素５には
、締付あぶみと接触部１２を備えた給電装置６と放出装置１３が取り付けられている。引
出部３ａの閉位置では、給電装置６と電流保存手段１１のそれぞれの接触部位置１２と１
２ａは、接触状態である。図２０は、電流保存手段１１と電気負荷具４との間の通電接触
は図示しておらず、これは、接触位置、ケーブル、スライド接触等々で実現可能である。
【００２９】
図２１と図２２は、家具枠体を有さない、給電装置６と放出装置１３を備えた運搬要素
５の正面図と背面図をそれぞれ示す。電流保存手段１１と照明装置４ａも図示されており
、可動家具部３は、図示されていない。これらの図は、単なる例示である。特定の形状は
、家具部３と家具枠体２に関してのみ意味がある。
【００３０】
図２３は、電流源９と電気負荷具４との間の電流通路と、給電装置６と放出装置１３の
運搬要素５への取り付けに関する多様なモジュール形態のオプションを概略的に示してい
る。
【００３１】
電流通路は、最下部の引出部３を例にして解説する。電流は、電気線８を介して電源９
から運搬要素５の電線に流れる。そのような電線８は、例えば運搬要素に示す二極線の形
態である。穿孔ピン１０を介して放出装置１３と給電装置６は、運搬要素５の電線と接触
している（その他の接触オプションも容易に考えられる）。図２０に例示するように、給
電装置６は、可動家具部３に取り付けられた電流保存手段１１に接触する。さらにそれは
、可動家具部の電気負荷具４に接続される。好適には、それぞれの引出部は、給電装置６
および放出装置１３の両方に対応する。あるいは、図２３に示す他の引き出しとして異な
る形態も可能である。本発明により、引出部のための電流供給のために、モジュール式で
あり、複雑ではなくて単純構造である取付形態も提供される。
【図１】
0005400156.tif 000002
【図２】
0005400156.tif 000003
【図３】
0005400156.tif 000004
【図４】
0005400156.tif 000005
【図５】
0005400156.tif 000006
【図６】
0005400156.tif 000007
【図７】
0005400156.tif 000008
【図８】
0005400156.tif 000009
【図９】
0005400156.tif 000010
【図１０】
0005400156.tif 000011
【図１１】
0005400156.tif 000012
【図１２】
0005400156.tif 000013
【図１３】
0005400156.tif 000014
【図１４】
0005400156.tif 000015
【図１５】
0005400156.tif 000016
【図１６】
0005400156.tif 000017
【図１７】
0005400156.tif 000018
【図１８】
0005400156.tif 000019
【図１９】
0005400156.tif 000020
【図２０】
0005400156.tif 000021
【図２１】
0005400156.tif 000022
【図２２】
0005400156.tif 000023
【図２３】
0005400156.tif 000024